(57)【要約】      （修正有）【課題】繊維集合体からなる車両内装用吸音材の材質としてリサイクル材を使用することで、資源の有効利用並びにコスト低減を図る。【解決手段】主繊維用リサイクル材Ａと熱融着繊維用リサイクル材Ｂとを同時に解繊処理することで、主繊維に対して熱融着繊維が偏在することなく、均一に混合されることにより、熱融着繊維としてリサイクル材Ｂの使用を可能にし、資源の有効利用並びにコスト低減を図るとともに、配合比率を高めることで成形安定性を確保し、加えて吸音材の造形自由度を拡大する。【選択図】図３
2011051566.tif 000002
【特許請求の範囲】
【請求項１】
内装トリム（２０）の裏面に貼付して吸音性を付与する吸音材（３０）、あるいは車体パネル（４０）の室内面側に装着されるインシュレータ（５０）を構成する吸音材（３０）として採用される車両内装用吸音材（３０）において、
前記吸音材（３０）は、高融点繊維をベースとした主繊維用リサイクル材（Ａ）を解繊してなる主繊維（３１）と低融点繊維をベースとした熱融着繊維用リサイクル材（Ｂ）を解繊処理して得られる熱融着繊維（３２）とから構成されており、全重量に対して熱融着繊維（３２）の比率が２０〜７０重量部に調整され、主繊維（３１）に対して熱融着繊維（３２）が局部的に偏在することなく万遍なく混在していることを特徴とする車両内装用吸音材。
【請求項２】
内装トリム（２０）の裏面に貼付して吸音性を付与する吸音材（３０）、あるいは車体パネル（４０）の室内面側に装着されるインシュレータ（５０）を構成する吸音材（３０）として採用される車両内装用吸音材（３０）の製造方法において、
高融点繊維からなる主繊維用リサイクル材（Ａ）と低融点繊維からなる熱融着繊維用リサイクル材（Ｂ）を同一の解繊機内で同時に解繊処理することで、主繊維（３１）と熱融着繊維（３２）とを均一に混合処理した後、所定厚みのマットを形成し、このマットを加熱軟化処理後、プレス成形することにより、所要形状の車両内装用吸音材（３０）が得られることを特徴とする車両内装用吸音材の製造方法。
【発明の詳細な説明】
【技術分野】
【０００１】
この発明は、主繊維と主繊維を結合させる熱融着繊維からなる車両内装用吸音材に係り、特に、主繊維、熱融着繊維双方にリサイクル材を使用することで、資源の有効利用を図るとともに、主繊維中に熱融着繊維を偏在することなく均一に混合させることで、成形性を向上させた車両内装用吸音材並びにその製造方法に関する。
【背景技術】
【０００２】
通常、車両には、走行時における静粛性を確保するために、内装トリムの裏面に吸音機能を有する吸音材を貼付する構成が採用されるか、あるいは吸音材をベースとした各種インシュレータが設置されている。例えば、図６に示すように、エンジンルームＥと車室Ｒとを区画するダッシュパネル１の室内面側には、ダッシュインシュレータ２が装着されている。一般にダッシュインシュレータ２の構成としては、図７に示すように、製品表面側に位置する遮音材３の裏面に多孔質吸音機能を有する吸音材４が一体化されて構成されている。そして、この吸音材４は、図８に示すように、主繊維４ａと主繊維４ａを結合させる熱融着繊維４ｂとから構成されている。主繊維４ａは、ポリエステル、高融点ポリプロピレン、ビニロン等の高融点をもつ合成繊維や、綿、麻、ウール等の天然繊維が使用され、最近ではコスト面を考慮して布地、産業端材を解繊処理したリサイクル材の使用が注目されている。
【０００３】
一方、熱融着繊維４ｂとしては、低融点繊維を使用し、例えば、ポリエチレン、低融点ポリプロピレン等の低融点の単一構造の繊維及び／もしくは、加工の安定性を確保するためにシース・コア繊維、サイド・バイ・サイド繊維等の複合構造の熱融着繊維４ｂを使用する。尚、主繊維４ａと熱融着繊維４ｂとからなる吸音材４であって、主繊維４ａにリサイクル材を使用する従来例としては、特許文献１に詳細に示されている。
【先行技術文献】
【特許文献】
【０００４】
【特許文献１】特開２００４−２７３８３号公報
【発明の概要】
【発明が解決しようとする課題】
【０００５】
このように、従来の吸音材４は、高融点繊維からなる主繊維４ａと低融点繊維からなる熱融着繊維４ｂとから構成されており、コスト面を考慮して、主繊維４ａにリサイクル材を使用する構成が注目されているが、熱融着繊維４ｂとしては、成形安定性を確保するため通常リサイクル材は使用されていない。従って、コスト高を招来するとともに、資源の有効利用を図る上で障害となっていた。
【０００６】
この発明は、このような事情に鑑みてなされたもので、内装トリムの裏面に貼付される吸音材、あるいはインシュレータの主要部を構成する吸音材として使用する車両内装用吸音材において、リサイクル材を解繊した主繊維にリサイクル材を解繊した熱融着繊維を混綿することで資源の有効利用が可能となり、コストダウンを招来でき、かつ熱融着繊維の配合比率を高めることで成形安定性を確保した車両内装用吸音材並びにその製造方法を提供することを目的としている。
【課題を解決するための手段】
【０００７】
上記目的を達成するために本発明者等は、鋭意研究の結果、リサイクル材からなる主繊維とリサイクル材からなる熱融着繊維を独立して解繊処理するのではなく、同一の混合装置内で同時に解繊処理することで、熱融着繊維が偏在することなく、両繊維が均一に混ざり合うことを知見し、本発明を完成するに至った。
【０００８】
すなわち、本発明は、内装トリムの裏面に貼付して吸音性を付与する吸音材、あるいは車体パネルの室内面側に装着されるインシュレータを構成する吸音材として採用される車両内装用吸音材において、前記吸音材は、高融点繊維をベースとした主繊維用リサイクル材を解繊してなる主繊維と低融点繊維をベースとした熱融着繊維用リサイクル材を解繊処理して得られる熱融着繊維とから構成されており、全重量に対して熱融着繊維の比率が２０〜７０重量部に調整され、主繊維に対して熱融着繊維が局部的に偏在することなく万遍なく混在していることを特徴とする。
【０００９】
ここで、車両内装用吸音材は、ルーフトリム、リヤサイドトリム、ラゲージサイドトリム、ドアトリム等、内装トリムの裏面適宜位置に貼付する吸音材として使用するか、あるいはダッシュパネルやフロアパネルの室内面側に装着されるダッシュインシュレータ、フロアインシュレータ等の吸音材として使用することができる。
【００１０】
吸音材を構成する主繊維としては、布地、産業端材を解繊処理した合成繊維、天然繊維等、高融点の繊維類で構成されている。一方、主繊維を結合させる熱融着繊維としては、これも布地、産業端材の解繊処理によって得られる繊維類であり、好ましくは、シース・コア繊維、サイド・バイ・サイド繊維が適している。また、主繊維と熱融着繊維の配合比率としては、主繊維：熱融着繊維が３０〜８０重量部：７０〜２０重量部のように熱融着繊維の配合比率を高比率に設定する。上記車両内装用吸音材としては、厚み１〜７０ｍｍ、密度０．０１〜１．０ｇ／ｃｍ3 に調整されており、通気量としては１０〜１００ｃｃ／ｃｍ2 ／ｓ（フラジール測定法による）に設定されている。
【００１１】
次いで、本発明は、内装トリムの裏面に貼付して吸音性を付与する吸音材、あるいは車体パネルの室内面側に装着されるインシュレータを構成する吸音材として採用される車両内装用吸音材の製造方法において、高融点繊維からなる主繊維用リサイクル材と低融点繊維からなる熱融着繊維用リサイクル材を同一の解繊機内で同時に解繊処理することで、主繊維と熱融着繊維とを均一に混合処理した後、所定厚みのマットを形成し、このマットを加熱軟化処理後、プレス成形することにより、所要形状の車両内装用吸音材が得られることを特徴とする。
【００１２】
すなわち、車両内装用吸音材の製造方法としては、主繊維用リサイクル材と熱融着繊維用リサイクル材を同時に解繊機内に投入して同時に解繊処理する解繊工程と、その後、解繊処理した繊維集合体を所定厚みの原反マットとして形成するマット形成工程と、このマットを加熱軟化処理して成形可能な状態とする加熱工程と、最終的にプレス金型で所要形状にプレス成形するプレス成形工程とからなっている。そして、特に本発明においては、主繊維用リサイクル材と熱融着繊維用リサイクル材を同時に解繊機内に投入して解繊処理すれば、熱融着繊維が偏在することなく、主繊維と熱融着繊維を均一に混合することができる。
【００１３】
参考までに、主繊維用リサイクル材と熱融着繊維用リサイクル材とを別々に解繊処理し、その後、混合した場合には、均一に混ざり合わない。その理由としては、熱融着繊維の解繊時、摩擦熱により熱融着繊維同士が付着し合い、解繊機の内壁に付着したり、あるいは大きな塊のまま主繊維と混ざり合うため、均一な混合が困難になるものと考えられる。
【００１４】
このように、本発明によれば、車両内装用吸音材の素材として主繊維用リサイクル材と熱融着繊維用リサイクル材とを使用することで資源の有効利用を図り、コストも大幅に低減することができる。また、主繊維に対して熱融着繊維を偏在することなく均一にかつ高い配合比率で混合されるため、成形性を高め、吸音材の造形自由度を拡大することができる。
【発明の効果】
【００１５】
以上説明した通り、本発明に係る車両内装用吸音材並びにその製造方法によれば、主繊維用リサイクル材と熱融着繊維用リサイクル材を同一の解繊機内で同時に解繊処理することにより、熱融着繊維用リサイクル材の使用を可能としたものであるから、資源の有効利用を図るとともに、吸音材のコストを低減化することができるという効果を有する。
【００１６】
更に、本発明方法によれば、解繊機の内壁に熱融着繊維が付着することを有効に防止できるとともに、熱融着繊維の配合比率を高めることができるため、解繊機の長寿命化に貢献できるとともに、吸音材の複雑な形状に対しても有効に対応でき、吸音材の造形自由度を拡大させることができるという効果を有する。
【図面の簡単な説明】
【００１７】
【図１】本発明に係る車両内装用吸音材の一実施例を示すルーフトリムの構成を示す断面図である。
【図２】図１に示すルームトリムの裏面に貼付される吸音材の構成を示す断面図である。
【図３】図２に示す吸音材の製造方法における工程チャート図である。
【図４】本発明に係る車両内装用吸音材の一実施例としてのダッシュインシュレータを示す断面図である。
【図５】図４に示すダッシュインシュレータにおける吸音材の変形例を示す断面図である。
【図６】従来のダッシュインシュレータの設置箇所を示す説明図である。
【図７】従来のダッシュインシュレータの構成を示す断面図である。
【図８】従来のダッシュインシュレータにおける吸音材の構成を示す断面図である。
【発明を実施するための形態】
【００１８】
以下、本発明に係る車両内装用吸音材並びにその製造方法の実施例について、添付図面を参照しながら詳細に説明する。尚、念のため付言すれば、本発明の要旨は特許請求の範囲に記載した通りであり、以下に説明する実施例の内容は、本発明の一例を単に示すものに過ぎない。
【実施例】
【００１９】
図１乃至図５は本発明の一実施例を示すもので、図１はルーフトリムの裏面に本発明に係る車両内装用吸音材を適用した構成を示す断面図、図２は同吸音材の構成を示す断面図、図３は同車両内装用吸音材の製造方法における各工程を示す工程チャート図、図４，図５は本発明に係る車両内装用吸音材をダッシュパネルに装着するダッシュインシュレータに適用した構成を示す各断面図である。
【００２０】
図１において、ルーフトリム１０は、所要形状にプレス成形されたルーフトリム本体２０の裏面所定位置に吸音材３０が貼付されており、図示しないルーフパネルを透過して車室内に伝播する騒音を吸音材３０の多孔質吸音機能により吸音処理することで、車室内の静粛性の向上に貢献している。この吸音材３０としては、図２に示すように、主繊維３１と、主繊維３１を結合させる熱融着繊維３２とから構成されている。特に、本発明においては、主繊維３１は勿論、熱融着繊維３２についてもリサイクル材を解繊処理した繊維質材料が使用されていることが特徴である。そのため、資源の有効利用を図るとともに、コスト低減に大きく役立っている。
【００２１】
上記主繊維３１としては、布地、産業端材を解繊処理した繊維類でポリエステル、高融点ポリプロピレン、ビニロン等の高融点をもつ合成繊維や、綿、麻、ウール等の天然繊維を素材としている。一方、熱融着繊維３２としても、生理用品やオムツカバー等の布地、産業端材の解繊繊維であり、このものは比較的低融点のポリエチレン、低融点ポリプロピレンが使用されている。また、熱融着繊維３２は、加工性を考慮して、シース・コア繊維、サイド・バイ・サイド繊維が使用される傾向にあり、シース・コア繊維としては、ポリエステル、高融点ポリプロピレン等、高融点樹脂からなるコアに対して、ポリエチレン、低融点ポリプロピレン等、低融点樹脂からなるシースで被包する構成であり、サイド・バイ・サイド繊維としては、低融点樹脂として１００〜１６０℃のポリエチレン、低融点ポリプロピレンと、高融点樹脂として１４０〜２６０℃のポリエステル、高融点ポリプロピレンとが使用されている。また、この吸音材３０の厚みとしては１〜７０ｍｍ、密度は０．０１〜１．０ｇ／ｃｍ3 に設定されており、通気度は１０〜１００ｃｃ／ｃｍ2 ／ｓ（フラジール測定法による）で、また、主繊維３１と熱融着繊維３２との配合比率は、主繊維＝３０〜８０重量部：熱融着繊維＝７０〜２０重量部に調整されている。
【００２２】
そして、本発明に係る車両内装用吸音材３０は、主繊維３１と熱融着繊維３２の双方の素材としてリサイクル材を使用することで資源の有効利用を図るとともに、コスト低減が可能になるが、以下に説明する製造方法を採用することでリサイクル材による熱融着繊維３２の使用が可能になり、かつ高い配合比率での混合を可能にしている。ここで、図３に示すように、この吸音材３０の製造方法は、主繊維３１、熱融着繊維３２の同時解繊工程と、マット化工程、加熱工程、プレス成形工程の４工程に大別することができる。
【００２３】
そして、特に、解繊工程に本発明の特徴がある。すなわち、主繊維３１の素材である主繊維用リサイクル材Ａと、熱融着繊維３２の素材である熱融着繊維用リサイクル材Ｂを同時に解繊処理することで、低融点である熱融着繊維３２同士が摩擦熱により付着し合うことを防止し、解繊機の内壁に熱融着繊維３２が付着することがなく、熱融着繊維３２の摩擦熱は、主繊維３１により緩和されるために熱融着繊維３２が偏在することがないので、均一に主繊維３１内に混ざり合うことができるものと推察できる。
【００２４】
次いで、マット化工程について説明する。すなわち、主繊維３１と熱融着繊維３２とが解繊処理された後、ベルトコンベア上にフリース状に供給され、厚み調整ロールで所望の厚みに調整され、熱処理加工、もしくはニードルパンチング加工によりマットが形成されるか、あるいは、加熱軟化処理した後プレス加工で所望の厚みのマットを形成するようにしても良い。そして、マットの形成が完了すれば、熱風加熱炉により加熱された後、プレス金型内で所要形状にプレス成形されて所望の車両内装用吸音材３０が得られる。
【００２５】
このように、本発明方法によれば、同一の解繊機内に主繊維３１の素材である主繊維用リサイクル材Ａと熱融着繊維３２の素材である熱融着繊維用リサイクル材Ｂとを投入して、同時に解繊処理を行なうことで、熱融着繊維用リサイクル材Ｂを熱融着繊維３２の素材として利用することができ、資源の有効利用が可能となり、大幅なコストダウンが見込める。更に、主繊維３１と熱融着繊維３２とが有効に混ざり合うため、熱融着繊維３２は２０〜７０重量部の配合比率が可能となり、成形安定性を有効に確保できることから、車両内装用吸音材３０の造形自由度が飛躍的に拡大するという利点がある。
【００２６】
上述した吸音材３０の形態としては、ルーフトリム本体２０の裏面に接着剤等により貼付する使用形態であるが、ルーフトリム１０の他にリヤサイドトリム、ラゲージサイドトリム、ドアトリム等、内装トリムにおけるトリム本体の裏面に貼付する吸音材として有効に適用することができる。
【００２７】
次いで、図４，図５は、エンジンルームＥと車室Ｒとを区画するダッシュパネル４０の室内面側に装着されるダッシュインシュレータ５０の構成について適用したもので、ダッシュインシュレータ５０は、本発明に係る吸音材３０の表面に所望ならば遮音材５１が設定されている。そして、このダッシュインシュレータ５０における吸音材３０についても、図２に示す断面図と同様、低コストで成形性の高いリサイクル材料が使用されている。尚、遮音材５１としては、再生塩ビシート、再生ゴムシート等の非通気性遮音シートの他に、高密度不織布シート等を使用することができる。また、図５は、本発明に係る吸音材３０の変形例であるが、吸音材３０の両面にほつれ防止、あるいは見栄え向上を目的とした不織布６０が貼付されている。この不織布６０は、図５では吸音材３０の両面に貼付したが、片側のみに設定することもできる。不織布６０の材質としては、ポリエステル、フエルト等の繊維類やウレタンフォーム等の発泡体等が使用される。厚みは０．２〜５．０ｍｍ（好ましくは０．５〜２．０ｍｍ）で、密度は０．０１〜１．０ｇ／ｃｍ3 （好ましくは０．０１〜０．１ｇ／ｃｍ3 ）が好ましい。そして、この変形例においては、図２の断面図に示すように、リサイクル材Ａ，Ｂを使用した主繊維３１、熱融着繊維３２を使用することで、低コストな吸音材３０を提供できるとともに、不織布６０を少なくとも片面に配置することで、吸音材３０のほつれを防止できるとともに、製品表面側に設定した場合は、外観見栄えを高めることができるという効果がある。
【産業上の利用可能性】
【００２８】
以上説明した実施例は、ルーフトリム本体２０裏面に貼付される吸音材３０及びダッシュパネル４０の室内面側に添装されるダッシュインシュレータ５０の吸音材３０にそれぞれ適用したが、ルーフトリム１０の他に、リヤサイドトリム、ラゲージサイドトリム、ドアトリム等の内装トリムにおけるトリム本体の裏面に貼付する吸音材に適用することもできるとともに、ダッシュインシュレータ５０以外の防音材として、フロアインシュレータ等の防音材に適用することもできる。すなわち、繊維集合体からなるリサイクル吸音材全般に有効に適用することができる。
【符号の説明】
【００２９】
１０  ルーフトリム
２０  ルーフトリム本体
３０  吸音材
３１  主繊維
３２  熱融着繊維
４０  ダッシュパネル
５０  ダッシュインシュレータ
５１  遮音材
６０  不織布
Ａ  主繊維用リサイクル材
Ｂ  熱融着繊維用リサイクル材
【図１】
2011051566.tif 000003
【図２】
2011051566.tif 000004
【図３】
2011051566.tif 000005
【図４】
2011051566.tif 000006
【図５】
2011051566.tif 000007
【図６】
2011051566.tif 000008
【図７】
2011051566.tif 000009
【図８】
2011051566.tif 000010